(57)【要約】【課題】  ユーザの要求に対して同じコンテンツ内でも柔軟にデータ品質を変えたコンテンツ配信が可能なコンテンツ配信システム、コンテンツ配信サーバ及びコンテンツ受信装置並びにコンテンツ配信方法を提供すること。【解決手段】  映像音声コンテンツ配信サーバ１００とユーザ端末２００とは、ネットワーク３０を介して相互に通信可能に接続されている。映像音声品質設定部２０３は、コンテンツ配信サーバ１００からパケットを受信して再生しているときに、ユーザから映像や音声の品質の設定変更を受け付ける。そして、変更された設定情報は、設定情報送信部２０４を介してコンテンツ配信サーバ１００へ設定情報を送信される。コンテンツ配信サーバ１００では、受信した設定情報に基づいて、再生制御部１０４にて再生状態を、コンテンツ変換部１０３にてコンテンツの圧縮や解像度等を変更する。【選択図】  図１
2006343938.tif 000002
【特許請求の範囲】
【請求項１】
通信回線を介してコンテンツ受信装置へコンテンツを配信するコンテンツ配信サーバであって、
前記コンテンツ受信装置から、配信するコンテンツのデータ品質レベルを含む設定情報を受信する設定情報受信手段と、
前記コンテンツ受信装置に配信するコンテンツデータを、前記設定情報に含まれたデータ品質レベルに応じて変換するコンテンツ変換手段と、
前記変換されたコンテンツデータを、前記コンテンツ受信装置へ送信するコンテンツデータ送信手段と、
を備え、
前記コンテンツ変換手段は、前記コンテンツ受信装置へコンテンツデータを送信しているときにデータ品質レベルを変更する設定情報を受信した場合に、前記変更されたデータ品質レベルに応じて変換するコンテンツ配信サーバ。
【請求項２】
請求項１に記載のコンテンツ配信サーバであって、
前記コンテンツ受信装置から受信する設定情報は、前記コンテンツ受信装置における再生状況を含み、前記設定情報に基づいて前記コンテンツ配信に係る課金量を制御する課金制御手段を更に備えるコンテンツ配信サーバ。
【請求項３】
請求項２に記載のコンテンツ配信サーバであって、
前記課金制御手段は、前記設定情報に基づいて、前記コンテンツ受信装置におけるコンテンツデータの再生状況と、再生区間と、前記データ品質とから前記コンテンツ受信装置に送信したデータ量を求め、そのデータ量から課金量を算出するコンテンツ受信装置。
【請求項４】
通信回線を介してコンテンツ配信サーバからコンテンツを受信するコンテンツ受信装置であって、
前記コンテンツ配信サーバからコンテンツデータを受信するデータ受信手段と、
前記コンテンツ配信サーバから受信するコンテンツのデータ品質レベルを含む設定情報を指定する設定情報指定手段と、
前記指定された設定情報をコンテンツ配信サーバへ送信する設定情報送信手段と、
を備え、
前記データ受信手段におけるコンテンツデータ受信中に、前記設定情報指定手段に前記設定情報の変更が指定された場合、前記設定情報送信手段から前記変更された設定情報を送信するコンテンツ受信装置。
【請求項５】
請求項４に記載のコンテンツ受信装置であって、
コンテンツ再生表示用の表示画面上に、映像品質及び音声品質の変更するユーザインターフェースを表示する表示手段を更に備えるコンテンツ受信装置。
【請求項６】
請求項１ないし３のいずれか一項のコンテンツ配信サーバと、請求項４又は５に記載のコンテンツ受信装置とを備えるコンテンツ配信システム。
【請求項７】
通信回線を介してコンテンツ受信装置へコンテンツを配信するコンテンツ配信方法であって、
前記コンテンツ受信装置から、配信するコンテンツのデータ品質レベルを含む設定情報を受信するステップと、
前記コンテンツ受信装置に配信するコンテンツデータを、前記設定情報に含まれたデータ品質レベルに応じて変換するステップと、
前記変換されたコンテンツデータを、前記コンテンツ受信装置へ送信するステップと、
前記コンテンツ受信装置へコンテンツデータを送信しているときにデータ品質レベルを変更する設定情報を受信した場合に、前記変更されたデータ品質レベルに応じて変換するステップと、
を有するコンテンツ配信方法。
【発明の詳細な説明】
【技術分野】
【０００１】
本発明は、通信回線を介してコンテンツ配信サーバからコンテンツ受信装置へコンテンツを配信するコンテンツ配信システム及びコンテンツ配信方法に関する。
【背景技術】
【０００２】
従来より、インターネットやイントラネット等を介して、映像や音声等を含むコンテンツを端末に提供するためのビデオオンデマンドシステム等のコンテンツ配信システムが提案されている。
【０００３】
このようなコンテンツ配信システムにおいて、一時停止や早送り等の特殊な再生を行った場合であっても、正当な課金を行うと共に、ユーザ間における料金負担の公平性を担保することを目的として、コンテンツの配信装置において、転送パケット量を計測し、その計測された転送パケット量から課金量を制御する課金制御方法があった（例えば、特許文献１参照）。
【特許文献１】特開２００２−２０７９３６号公報
【発明の開示】
【発明が解決しようとする課題】
【０００４】
ここで、コンテンツのパケット量は、コンテンツの配信側から受信側に対するコンテンツのデータ品質が高いほど多くなる。したがって、上述のような課金を行う場合には、データ品質が高いほど、課金量が多くなることになる。
【０００５】
しかしながら、同一コンテンツではどのシーンも同じデータ品質で配信されるため、ユーザにとって重要でないシーンに対しても重要であるシーンと同様に課金が行われることになり、ユーザにとって適切な課金が行われない場合があるといった事情があった。
【０００６】
本発明は、上記従来の事情に鑑みてなされたものであって、ユーザの要求に対して同じコンテンツ内でも柔軟にデータ品質を変えたコンテンツ配信が可能なコンテンツ配信システム、コンテンツ配信サーバ及びコンテンツ受信装置並びにコンテンツ配信方法を提供することを目的とする。
【課題を解決するための手段】
【０００７】
本発明のコンテンツ配信サーバは、通信回線を介してコンテンツ受信装置へコンテンツを配信するコンテンツ配信サーバであって、前記コンテンツ受信装置から、配信するコンテンツのデータ品質レベルを含む設定情報を受信する設定情報受信手段と、前記コンテンツ受信装置に配信するコンテンツデータを、前記設定情報に含まれたデータ品質レベルに応じて変換するコンテンツ変換手段と、前記変換されたコンテンツデータを、前記コンテンツ受信装置へ送信するコンテンツデータ送信手段とを備え、前記コンテンツ変換手段は、前記コンテンツ受信装置へコンテンツデータを送信しているときにデータ品質レベルを変更する設定情報を受信した場合に、前記変更されたデータ品質レベルに応じて変換する。
【０００８】
この構成により、コンテンツ送信中にデータ品質を変更することが可能となるので、ユーザがコンテンツを再生してシーン毎にデータ品質を変更する等、ユーザの要求に柔軟に対応したコンテンツ配信を行うことができる。
【０００９】
また、本発明のコンテンツ配信サーバにおいて、前記コンテンツ受信装置から受信する設定情報は、前記コンテンツ受信装置における再生状況を含み、前記設定情報に基づいて前記コンテンツ配信に係る課金量を制御する課金制御手段を更に備える。この構成により、配信したコンテンツデータの品質等に応じた課金を行うことができる。
【００１０】
また、本発明のコンテンツ配信サーバにおいて、前記課金制御手段は、前記設定情報に基づいて、前記コンテンツ受信装置におけるコンテンツデータの再生状況と、再生区間と、前記データ品質とから前記コンテンツ受信装置に送信したデータ量を求め、そのデータ量から課金量を算出する。この構成により、再生状況やその区間、データの品質に応じて送信したデータ量を算出するので、提供したサービスに対して適切な課金を行うことができる。
【００１１】
本発明のコンテンツ受信装置は、通信回線を介してコンテンツ配信サーバからコンテンツを受信するコンテンツ受信装置であって、前記コンテンツ配信サーバからコンテンツデータを受信するデータ受信手段と、前記コンテンツ配信サーバから受信するコンテンツのデータ品質レベルを含む設定情報を指定する設定情報指定手段と、前記指定された設定情報をコンテンツ配信サーバへ送信する設定情報送信手段とを備え、前記データ受信手段におけるコンテンツデータ受信中に、前記設定情報指定手段に前記設定情報の変更が指定された場合、前記設定情報送信手段から前記変更された設定情報を送信する。
【００１２】
この構成により、コンテンツ受信中（再生中）にデータ品質を変更することが可能となるので、ユーザがコンテンツを再生してシーン毎にデータ品質を変更する等、ユーザの要求に柔軟に対応したコンテンツ配信を行うことができる。
【００１３】
また、本発明のコンテンツ受信装置は、コンテンツ再生表示用の表示画面上に、映像品質及び音声品質の変更するユーザインターフェースを表示する表示手段を更に備える。この構成により、ユーザは、映像や音声の品質の変更を容易に指定することができる。
【００１４】
本発明のコンテンツ配信システムは、上記のコンテンツ配信サーバと、上記のコンテンツ受信装置とを備える。このシステムにより、コンテンツ配信中にデータ品質を変更することが可能となるので、ユーザがコンテンツを再生してシーン毎にデータ品質を変更する等、ユーザの要求に柔軟に対応したコンテンツ配信を行うことができる。
【００１５】
本発明のコンテンツ配信方法は、通信回線を介してコンテンツ受信装置へコンテンツを配信するコンテンツ配信方法であって、前記コンテンツ受信装置から、配信するコンテンツのデータ品質レベルを含む設定情報を受信するステップと、前記コンテンツ受信装置に配信するコンテンツデータを、前記設定情報に含まれたデータ品質レベルに応じて変換するステップと、前記変換されたコンテンツデータを、前記コンテンツ受信装置へ送信するステップと、前記コンテンツ受信装置へコンテンツデータを送信しているときにデータ品質レベルを変更する設定情報を受信した場合に、前記変更されたデータ品質レベルに応じて変換するステップとを有する。
【００１６】
この方法により、コンテンツ配信中にデータ品質を変更することが可能となるので、ユーザがコンテンツを再生してシーン毎にデータ品質を変更する等、ユーザの要求に柔軟に対応したコンテンツ配信を行うことができる。
【発明の効果】
【００１７】
本発明によれば、ユーザの要求に対して同じコンテンツ内でも柔軟にデータ品質を変えたコンテンツ配信が可能なコンテンツ配信システム、コンテンツ配信サーバ及びコンテンツ受信装置並びにコンテンツ配信方法を提供することができる。
【発明を実施するための最良の形態】
【００１８】
図１は、本発明の実施形態に係る映像音声配信システムの基本構成の一例を示すブロック図である。図１に示すように、本実施形態の映像音声配信システムは、映像音声コンテンツ配信サーバ１００と、ネットワーク３０等の通信回線を介して接続されたユーザ端末２００とを備える。
【００１９】
映像音声コンテンツ配信サーバ１００は、高品質である非圧縮の映像音声のコンテンツを格納したファイル１０１と、ユーザ端末２００から送信される映像音声の品質設定情報及び再生状況を受信し、受信した情報をコンテンツ変換部１０３、課金制御部１０８及び再生制御部１０４に渡すユーザ設定情報受信／通知部１０２と、ユーザ端末２００から通知される早送り、巻戻し、等の特殊再生要求を実現するためのコンテンツ再生を制御する再生制御部１０４と、非圧縮の映像音声コンテンツファイル１０１をコンテンツ変換部１０３に渡すコンテンツ読込部１０５と、コンテンツ読込部１０５により読み込んだ映像音声コンテンツファイル１０１の映像圧縮フォーマットや画角等を変換するコンテンツ変換部１０３と、ネットワーク３０を利用してコンテンツ変換部１０３により変換されたデータを特定のユーザ端末に送信するパケット送信部１０６と、品質設定情報、再生区間及び再生状況を記録した課金情報ファイル１０７と、課金情報ファイル１０７を出力し、課金情報ファイル１０７をもとにユーザ端末２００に送信したデータ量を計算する課金制御部１０８を有する。
【００２０】
映像音声コンテンツサーバ１００からコンテンツデータを受信するユーザ端末２００は、例えば受信した圧縮映像音声をデコードし、テレビ画面等に映像出力する機能を有するセットトップボックスである。ユーザ端末２００は、映像音声コンテンツ配信サーバ１００より送信される映像音声データを受信し、コンテンツ再生部２０２に渡すパケット受信部２０１と、受信した映像音声データをデコードし、表示装置の画面上に表示したり、音声出力装置から音声を出力するコンテンツ再生部２０２と、視聴中の映像音声コンテンツの品質設定のユーザによる決定を受け付ける映像音声品質設定部２０３と、映像音声品質設定部２０３により決められた品質設定情報や再生状況を映像音声コンテンツ配信サーバ１００に送信する設定情報送信部２０４とを有する。
【００２１】
図２は、本発明の実施形態におけるユーザ端末２００が有する映像音声品質設定部によって表示する画面の一例を示す図である。コンテンツ視聴者であるユーザは、画面Ｇ２０の表示項目を選択指定することにより映像音声の適切な品質設定を行う。
【００２２】
コンテンツ視聴中は、ユーザ端末２００の視聴用の画面Ｇ２０上に、ユーザ端末２００が持っている圧縮フォーマット、圧縮率、解像度、色数、等の映像品質２２の品質、また圧縮フォーマット、圧縮率、チャンネル数、等の音声品質Ｇ２４の品質を変更するユーザインターフェース情報が表示された後、この画面Ｇ２０上でユーザが選択操作することにより自由に設定変更できる。
【００２３】
画面Ｇ２０は、映像音声の巻戻し、再生、及び早送りの各機能を実行するために選択して押下するボタンである巻戻ボタンＢ２４、再生ボタンＢ２６、及び早送りボタンＢ２８の各ボタン表示を有する。
【００２４】
この事例において、映像品質Ｇ２２の品質設定するための選択情報のうち、圧縮フォーマットは、例えば「ＭＰＥＧ−２」（Moving Picture Experts Group−２）、圧縮率は、例えば「普通」、解像度は、例えば「ハイビジョン」、色数は、「カラー（中）」、等の情報を選択したことを示す。また、音声品質Ｇ２４の品質設定するための圧縮フォーマットは、例えば「ＡＣ−３」（Audio Code number 3）、圧縮率は、例えば「普通」、チャンネル数は、例えば「５．１ｃｈ」、等の情報を選択したことを示す。
【００２５】
画面Ｇ２０の一例で示すように、映像音声品質設定部２０３によって表示する画面は、適切な品質設定を行うことに加えて、同時に再生、早送り、巻戻し、等の再生状況ができる手段もユーザに提供するので、ユーザは適切な品質設定をした後、再生及び／又は早送り又は巻戻しボタンを押下する。そのため、ユーザは早送り又は巻戻しをする場合に品質を落とした設定が同時にできる。
【００２６】
次に、図１で構成される映像音声の配信システムの動作について説明する。まず、ユーザ端末２００上で、予めコンテンツ提供者側が準備したタイトルを選択する情報を画面表示し、その表示画面上で視聴するタイトルを選択する。次にユーザ端末２００が有する映像音声品質設定部２０３で画面Ｇ２０をユーザ端末２００上に表示する。
【００２７】
１つのタイトル内の各シーンの重要度はユーザごとに異なる。ユーザは、コンテンツ視聴中に、ユーザ端末２００の画面Ｇ２０上でこの各シーンの重要度をもとに映像音声の品質レベルをユーザが選択操作することによって変更する。変更後の映像音声の情報は、品質レベル情報として映像音声コンテンツ配信サーバ１００に送信し、映像音声コンテンツ配信サーバ１００はユーザ端末２００から送信される映像音声の品質レベル情報を受信する。映像音声コンテンツ配信サーバ１００は、受信した品質レベル情報に従い、解像度変更及び映像圧縮、音質変更及び音声圧縮を行う。次いで、映像音声コンテンツ配信サーバ１００は、生成された映像音声データをユーザ端末２００に送信する。
【００２８】
図３は、ユーザ端末で設定した映像音声管理情報の一例を示す図であり、図３（Ａ）は映像音声管理情報全体を示す図で映像音声管理レコードである。図３（Ｂ）は、その内訳の一例を示す図である。
【００２９】
ユーザ端末２００の映像音声品質設定部２０３は、再生要求を含む再生状況情報３００と、映像及び音声に関する品質の情報を含む映像音声品質設定情報３０２を含む映像音声管理レコードを生成する。再生状況情報３００は、ユーザ端末２００で設定した、早送り、巻戻し、等の特殊再生要求を含む再生状況内容の情報であり、映像音声品質設定情報３０２は、ユーザ端末２００の映像音声品質設定部２０３で設定した映像３０６及び音声３１０に関する品質の情報及び変更情報を示す変更フラグを含む。
【００３０】
映像音声の品質を変える場合は、映像音声品質設定情報３０２の変更フラグ３０４をオンにして、設定する映像パラメータ３０８、音声パラメータ３１２を書き込む。
【００３１】
また、リモコン等のユーザインターフェースを使用して再生状況情報３００だけを変更する場合も、図３に示す形式と同様の形式である。この場合、映像音声品質設定情報３０２の変更フラグ３０４をオフに設定し、映像パラメータ３０８、音声パラメータ３１２は空データとなる。
【００３２】
図３のデータ形式で示される映像音声管理レコードのデータは、ユーザ端末２００の設定情報送信部２０４から送信され、映像音声コンテンツ配信サーバ１００のユーザ設定情報受信／通知部１０２が受信し、コンテンツ変換部１０３と課金制御部１０８と再生制御部１０４に通知される。
【００３３】
再生制御部１０４は、ユーザ端末２００により通知される再生、早送り、巻戻し、等の再生状況情報３００に応じた映像音声データを生成するために非圧縮映像音声コンテンツファイル１０１から読込むデータの位置を取得し、その位置情報をコンテンツ読込部１０５に通知する。
【００３４】
コンテンツ読込部１０５は、再生制御部１０４より通知された位置情報に従って、非圧縮の映像音声コンテンツファイル１０１から逐次データを読み込み、コンテンツ変換部１０３へ渡す。
【００３５】
コンテンツ変換部１０３は、コンテンツ読込部１０５から受取ったデータを品質設定情報に従った変換パラメータを用いてコンテンツ読込部１０５から渡されたデータをビットレート、解像度、等の変換を実行し、ネットワーク３０上に送出する。
【００３６】
課金制御部１０８は、通知された映像音声品質設定情報３０２、再生状況情報３００、等を課金情報ファイル１０７に出力する。
【００３７】
図４は、課金情報ファイルの内容の一例を示す図である。課金情報ファイル１０４は、再生状況４２、時間４４、映像４６、音声４８、送信データ量４９、等の各情報を含む。区間番号４０は、同一の品質設定及び再生状況で再生が行われた区間の番号を表し、ユーザがコンテンツを視聴した開始時点から映像音声品質設定情報３０２を変更したか又は再生状況情報３００を変更した時、課金制御部１０３によりシーケンシャルに付与される。再生状況４２は、区間の再生状況で、再生及び／又は早送り又は巻戻しのいずれかとなる。早送り又は巻戻しの場合は、その段階付きの機能を実現する。時間４４は、開始時間及び終了時間を含み、それぞれ区間の開始時間と終了時間を示す。各区間で適用された映像４６のパラメータは、圧縮フォーマット、圧縮率、解像度、色数を含む。音声４８のパラメータは、圧縮フォーマット、圧縮率、チャンネル数を含む。この区間で計算された送信データ量４９は、区間番号４０の範疇に記録する。
【００３８】
図５は、課金制御部が課金情報ファイルに課金情報を書き出す手順の一例を示すフローチャートである。課金制御部１０８は、ユーザ端末２００からの設定情報受信処理でユーザ設定情報を受信する（ステップＳ１）。次いで、受信したユーザ設定情報が品質設定情報であるかどうか判断し（ステップＳ２）、品質設定情報であった場合（ステップＳ２のＹＥＳ）、次に課金情報ファイルが存在するかどうか判断する（ステップＳ３）。
【００３９】
コンテンツの視聴を開始する時点において課金情報ファイル１０７が存在しない場合（ステップＳ３のＮＯ）、課金情報ファイル１０７を作成し、区間番号を１として課金情報ファイル１０７に書き込む（ステップＳ４）。更に、現在時間を取得して、区間番号１の開始時間として課金情報ファイル１０７に書き込む（ステップＳ５）。その後、上記で通知された映像音声品質設定情報３０２と再生状況情報３００を課金情報ファイル１０７に書き込む（ステップＳ１０）。
【００４０】
一方、ステップＳ３の判断で課金情報ファイル１０７が存在する場合（ＹＥＳ）、現在時間を取得し、前区間の終了時間として課金情報ファイル１０７に書き込む（ステップＳ６）。その後、前区間の送信データ量を区間の開始時間、終了時間、再生状況、映像音声のパラメータより計算し、前区間の送信データ量として書き込む（ステップＳ７）。次いで、区間番号を＋１だけインクリメントして新たな区間番号を課金情報ファイル１０７に書き込む（ステップＳ８）。新たな区間番号の開始時間として前区間の終了時間を書き込み（ステップＳ９）、新たな区間番号の品質設定情報３０２と再生状況情報３００を書き込む（ステップＳ１０）。
【００４１】
ステップＳ２の判断で品質設定情報でない場合（ＮＯ）、現在時間を取得し、前区間の終了時間として課金情報ファイル１０７に書き込む（ステップＳ１１）。その後、前区間の送信データ量を区間の開始時間、終了時間、再生状況、映像音声のパラメータより計算し、前区間の送信データ量として書き込む（ステップＳ１２）。次いで、区間番号を＋１だけインクリメントして新たな区間番号を課金情報ファイル１０７に書き込む（ステップＳ１３）。新たな区間番号の開始時間として前区間の終了時間を書き込み（ステップＳ１４）、通知された再生状況情報と前区間の品質設定情報を複製して課金情報ファイル１０７に書き込む（ステップＳ１５）。一連の処理ステップが完遂すれば、最後に終了する。
【００４２】
このように、コンテンツ再生開始以降、ユーザはコンテンツ視聴中に自由に品質設定及び再生状況を変更することが可能となり、これらの変更要求があった場合、ユーザ端末２００から映像音声コンテンツ配信サーバ１００にその旨を通知し、再生制御部１０４、コンテンツ変換部１０３、課金制御部１０８が上記の動作をする。
【００４３】
ここで、変更要求の例としては、以下の２つのパターンを受け入れる。１つ目の例は、映像音声の品質設定は現在視聴中のものから変更せずに再生状況のみを変更する場合である。この場合の変更要求には、変更された再生状況を映像音声コンテンツ配信サーバ１００に通知する。そして、２つめの例は、映像音声の品質設定を変更する場合である。この場合の変更要求には、映像音声品質設定部２０３により指定された映像音声設定情報３０２と再生状況３００を映像音声コンテンツ配信サーバ１００に通知する。
【００４４】
これ以降は、選択したタイトルが終了するか又はユーザ操作によりコンテンツ視聴を中止するまで上記のように動作する。選択したタイトルが終了するかユーザ操作によりコンテンツ視聴を中止した時、課金制御部１０８は、課金情報ファイル１０７からすべての区間で計算された送信データ量の総和により、視聴料金を決定し、ユーザ端末２００に通知する。ユーザ端末２００は、この料金を表示し、ユーザは視聴料を確認する。
【００４５】
このような本発明の実施形態によれば、ユーザ端末２００に映像音声の品質設定部２０３と、ユーザ端末２００で設定された映像音声の品質情報に従った再生制御部１０４とコンテンツ変換部１０３と課金制御部１０８を映像音声コンテンツ配信サーバ１００に設けることにより、ユーザの嗜好に応じた映像音声のコンテンツ配信を行うことが可能であり、またユーザにとって有利な課金を行うことが可能となる。
【００４６】
以上説明したように、本発明の映像音声コンテンツ配信システムは、映像音声コンテンツ視聴時に、ユーザの嗜好に応じた映像音声の品質を提供でき、ユーザにとって重要度の高いシーンのみ高料金となり、ユーザにとって有利な課金を行うことが可能であり、ユーザにとって重要度の低い部分の映像音声の品質を落として配信するため、ネットワークの帯域を軽減させ、サーバのコンテンツ格納領域を軽減するという効果を有し、インターネットに代表されるインタラクティブなネットワークを利用し、課金を伴う映像音声等のコンテンツ配信システムにおいて、コンテンツの配信、課金制御、等が可能であるという利点がある。
【産業上の利用可能性】
【００４７】
本発明のコンテンツ配信システム、コンテンツ配信サーバ及びコンテンツ受信装置並びにコンテンツ配信方法は、ユーザの要求に対して同じコンテンツ内でも柔軟にデータ品質を変えたコンテンツ配信が可能な効果を有し、ビデオオンデマンドシステム等に有用である。
【図面の簡単な説明】
【００４８】
【図１】本実施形態の映像音声配信システムの基本構成の一例を示すブロック図
【図２】本発明の実施形態におけるユーザ端末が有する映像音声品質設定部によって表示する画面の一例を示す図
【図３】ユーザ端末で設定した映像音声管理情報の一例を示す図
【図４】課金情報ファイルの内容の一例を示す図
【図５】課金制御部が課金情報ファイルに課金情報を書き出す処理手順を示すフローチャート
【符号の説明】
【００４９】
１００  映像音声コンテンツ配信サーバ
１０１  非圧縮映像音声コンテンツファイル
１０２  ユーザ設定情報受信／通知部
１０３  コンテンツ変換部
１０４  再生制御部
１０５  コンテンツ読込部
１０６  パケット送信部
１０７  課金情報ファイル
１０８  課金制御部
２００  ユーザ端末
２０１  パケット受信部
２０２  コンテンツ再生部
２０３  映像音声品質設定部
２０４  設定情報送信部
【図１】
2006343938.tif 000003
【図２】
2006343938.tif 000004
【図３】
2006343938.tif 000005
【図４】
2006343938.tif 000006
【図５】
2006343938.tif 000007